(57)【特許請求の範囲】
【請求項１】
撮像信号に対してネガ・ポジ反転処理をすることのできるネガ・ポジ反転回路と、
撮像信号を信号処理して得た赤信号Ｒ，緑信号Ｇ，青信号Ｂを積分して赤積分値ＩＲ，緑積分値ＩＧ，青積分値ＩＢを求める積算回路と、
緑積分値ＩＧに対する赤積分値ＩＲ及び青積分値ＩＢの比ＩＲ／ＩＧ，ＩＢ／ＩＧを求めると共に、比ＩＲ／ＩＧ，ＩＢ／ＩＧを基にホワイトバランス制御信号Ｒｃｏｎｔ，Ｂｃｏｎｔを求める制御部と、
ホワイトバランス制御信号Ｒｃｏｎｔ，Ｂｃｏｎｔに応じて赤信号Ｒ及び青信号Ｂのゲイン調整をしてホワイトバランス制御をするホワイトバランス制御回路とを有するビデオカメラ装置において、
前記制御部は、比ＩＲ／ＩＧと比ＩＢ／ＩＧを軸としたデータ座標に、ポジフィルムのフィルム画像を撮影したときやフィルム画像の撮影をしない通常の撮影をしたときに比ＩＲ／ＩＧ，ＩＢ／ＩＧが検出される領域であるポジモード検出枠と、ネガフィルムのフィルム画像を撮影したときに比ＩＲ／ＩＧ，ＩＢ／ＩＧが検出される領域であるネガモード検出枠を設定してなるデータテーブルを記憶しており、比ＩＲ／ＩＧ，ＩＢ／ＩＧの値がポジモード検出枠内に入るときには前記ネガ・ポジ反転回路によるネガ・ポジ反転処理を行なわせず、比ＩＲ／ＩＧ，ＩＢ／ＩＧの値がネガモード検出枠内に入るときには前記ネガ・ポジ反転回路によるネガ・ポジ反転処理を行なわせることを特徴とするビデオカメラ装置。
【請求項２】
撮像信号に対してネガ・ポジ反転処理をすることのできるネガ・ポジ反転回路と、
撮像信号を信号処理して得た赤信号Ｒ，緑信号Ｇ，青信号Ｂを積分して赤積分値ＩＲ，緑積分値ＩＧ，青積分値ＩＢを求める積算回路と、
緑積分値ＩＧに対する赤積分値ＩＲ及び青積分値ＩＢの比ＩＲ／ＩＧ，ＩＢ／ＩＧを求めると共に、比ＩＲ／ＩＧ，ＩＢ／ＩＧを基にホワイトバランス制御信号Ｒｃｏｎｔ，Ｂｃｏｎｔを求める制御部と、
ホワイトバランス制御信号Ｒｃｏｎｔ，Ｂｃｏｎｔに応じて赤信号Ｒ及び青信号Ｂのゲイン調整をしてホワイトバランス制御をするホワイトバランス制御回路とを有するビデオカメラ装置において、
前記制御部は、比ＩＲ／ＩＧと比ＩＢ／ＩＧを軸としたデータ座標に、カラーポジフィルムのフィルム画像を撮影したときやフィルム画像の撮影をしない通常の撮影をしたときに比ＩＲ／ＩＧ，ＩＢ／ＩＧが検出される領域であるポジモード検出枠と、カラーネガフィルムのフィルム画像を撮影したときに比ＩＲ／ＩＧ，ＩＢ／ＩＧが検出される領域であるカラーネガモード検出枠と、モノクロネガフィルムのフィルム画像を撮影したときに比ＩＲ／ＩＧ，ＩＢ／ＩＧが検出される領域であるモノクロネガモード検出枠を設定してなるデータテーブルを記憶しており、比ＩＲ／ＩＧ，ＩＢ／ＩＧの値がポジモード検出枠内に入るときには前記ネガ・ポジ反転回路によるネガ・ポジ反転処理を行なわせず、比ＩＲ／ＩＧ，ＩＢ／ＩＧの値がカラーネガモード検出枠内やモノクロネガモード検出枠に入るときには前記ネガ・ポジ反転回路によるネガ・ポジ反転処理を行なわせることを特徴とするビデオカメラ装置。
【請求項３】
撮像信号に対してネガ・ポジ反転処理をすることのできるネガ・ポジ反転回路と、
撮像信号を信号処理して得た赤信号Ｒ，緑信号Ｇ，青信号Ｂを積分して赤積分値ＩＲ，緑積分値ＩＧ，青積分値ＩＢを求める積算回路と、
緑積分値ＩＧに対する赤積分値ＩＲ及び青積分値ＩＢの比ＩＲ／ＩＧ，ＩＢ／ＩＧを求めると共に、比ＩＲ／ＩＧ，ＩＢ／ＩＧを基にホワイトバランス制御信号Ｒｃｏｎｔ，Ｂｃｏｎｔを求める制御部と、
ホワイトバランス制御信号Ｒｃｏｎｔ，Ｂｃｏｎｔに応じて赤信号Ｒ及び青信号Ｂのゲイン調整をしてホワイトバランス制御をするホワイトバランス制御回路とを有するビデオカメラ装置において、
前記制御部は、比ＩＲ／ＩＧと比ＩＢ／ＩＧを軸としたデータ座標に、カラーポジフィルムのフィルム画像を撮影したときやフィルム画像の撮影をしない通常の撮影をしたときに比ＩＲ／ＩＧ，ＩＢ／ＩＧが検出される領域であるポジモード検出枠と、カラーネガフィルムのフィルム画像を撮影したときに比ＩＲ／ＩＧ，ＩＢ／ＩＧが検出される領域であるカラーネガモード検出枠と、モノクロネガフィルムのフィルム画像を撮影したときに比ＩＲ／ＩＧ，ＩＢ／ＩＧが検出される領域であるモノクロネガモード検出枠を設定してなるデータテーブルを記憶しており、比ＩＲ／ＩＧ，ＩＢ／ＩＧの値がポジモード検出枠内に入るときには前記ネガ・ポジ反転回路によるネガ・ポジ反転処理を行なわせず、比ＩＲ／ＩＧ，ＩＢ／ＩＧの値がカラーネガモード検出枠内に入るときには前記ネガ・ポジ反転回路によるネガ・ポジ反転処理を行なわせ、比ＩＲ／ＩＧ，ＩＢ／ＩＧの値がモノクロネガモード検出枠内に入るときには前記ネガ・ポジ反転回路により撮像信号のうちの輝度信号に対してネガ・ポジ反転処理を行なわせると共に色信号を出力させないことを特徴とするビデオカメラ装置。
【発明の詳細な説明】
【０００１】
【発明の属する技術分野】
本発明はビデオカメラ装置に関し、ネガフィルムのフィルム画像を撮影したときに、使用者による操作を要することなく良好なフィルム画像の撮影ができるように工夫をしたものである。
【０００２】
【従来の技術】
光学カメラで撮影して現像処理したフィルム（銀塩フィルム）に写し込まれた画像（フィルム画像）を、ビデオカメラで撮影することが行なわれている。このようにすると、光学的な画像をビデオ信号に変換することができ、このビデオ信号をビデオテープに記録したり、ビデオ信号をテレビシステムに送ってテレビ画像として映し出したりすることができる。
【０００３】
フィルム画像を取り込むには、図３に示すように、ビデオカメラ１のレンズ部にフィルムアダプター２を取り付ける。フィルムアダプター２には、照明装置が内蔵されると共に、フィルム４を挟んだフィルムキャリア３が差し込まれる。そしてビデオカメラ１はフィルム４の１駒分のフィルム画像をビデオ撮影する。
【０００４】
なおネガフィルムをビデオ撮影するときには、ビデオカメラのネガ・ポジ反転回路によりネガ像をポジ像に電気的に変換するネガ・ポジ反転処理をしなければならない。一方、ポジフィルムをビデオ撮影するときには、ビデオカメラのネガ・ポジ反転回路による反転処理は行わない。またフィルムアダプター２を取り外して通常のビデオ撮影をするときにも、反転処理は行わない。
【０００５】
従来ではビデオカメラ１に反転処理作動用のスイッチ（機械的なスイッチ）を備えておき、フィルム４がネガフィルムであるときには、使用者が反転処理作動用のスイッチを投入してネガ・ポジ反転処理を行なわせていた。
【０００６】
【発明が解決しようとする課題】
上述したように従来技術では、使用者がフィルムの種類を判別し、ネガフィルムの画像をビデオ撮影するときには、使用者が反転処理作動用のスイッチを投入する作業を要し面倒であった。
【０００７】
本発明は、上記従来技術に鑑み、ネガフィルムの画像を撮影しているのか、またはポジフィルム画像の撮影やフィルム画像の撮影ではない通常の撮影をしているのか、を自動的に判定して、各撮影状況に応じた最適な信号処理をするビデオカメラ装置を提供するものである。
【０００８】
【課題を解決するための手段】
上記課題を解決する本発明は、
撮像信号に対してネガ・ポジ反転処理をすることのできるネガ・ポジ反転回路と、
撮像信号を信号処理して得た赤信号Ｒ，緑信号Ｇ，青信号Ｂを積分して赤積分値ＩＲ，緑積分値ＩＧ，青積分値ＩＢを求める積算回路と、
緑積分値ＩＧに対する赤積分値ＩＲ及び青積分値ＩＢの比ＩＲ／ＩＧ，ＩＢ／ＩＧを求めると共に、比ＩＲ／ＩＧ，ＩＢ／ＩＧを基にホワイトバランス制御信号Ｒｃｏｎｔ，Ｂｃｏｎｔを求める制御部と、
ホワイトバランス制御信号Ｒｃｏｎｔ，Ｂｃｏｎｔに応じて赤信号Ｒ及び青信号Ｂのゲイン調整をしてホワイトバランス制御をするホワイトバランス制御回路とを有するビデオカメラ装置において、
前記制御部は、比ＩＲ／ＩＧと比ＩＢ／ＩＧを軸としたデータ座標に、ポジフィルムのフィルム画像を撮影したときやフィルム画像の撮影をしない通常の撮影をしたときに比ＩＲ／ＩＧ，ＩＢ／ＩＧが検出される領域であるポジモード検出枠と、ネガフィルムのフィルム画像を撮影したときに比ＩＲ／ＩＧ，ＩＢ／ＩＧが検出される領域であるネガモード検出枠を設定してなるデータテーブルを記憶しており、比ＩＲ／ＩＧ，ＩＢ／ＩＧの値がポジモード検出枠内に入るときには前記ネガ・ポジ反転回路によるネガ・ポジ反転処理を行なわせず、比ＩＲ／ＩＧ，ＩＢ／ＩＧの値がネガモード検出枠内に入るときには前記ネガ・ポジ反転回路によるネガ・ポジ反転処理を行なわせることを特徴とする。
【０００９】
また本発明は、
撮像信号に対してネガ・ポジ反転処理をすることのできるネガ・ポジ反転回路と、
撮像信号を信号処理して得た赤信号Ｒ，緑信号Ｇ，青信号Ｂを積分して赤積分値ＩＲ，緑積分値ＩＧ，青積分値ＩＢを求める積算回路と、
緑積分値ＩＧに対する赤積分値ＩＲ及び青積分値ＩＢの比ＩＲ／ＩＧ，ＩＢ／ＩＧを求めると共に、比ＩＲ／ＩＧ，ＩＢ／ＩＧを基にホワイトバランス制御信号Ｒｃｏｎｔ，Ｂｃｏｎｔを求める制御部と、
ホワイトバランス制御信号Ｒｃｏｎｔ，Ｂｃｏｎｔに応じて赤信号Ｒ及び青信号Ｂのゲイン調整をしてホワイトバランス制御をするホワイトバランス制御回路とを有するビデオカメラ装置において、
前記制御部は、比ＩＲ／ＩＧと比ＩＢ／ＩＧを軸としたデータ座標に、カラーポジフィルムのフィルム画像を撮影したときやフィルム画像の撮影をしない通常の撮影をしたときに比ＩＲ／ＩＧ，ＩＢ／ＩＧが検出される領域であるポジモード検出枠と、カラーネガフィルムのフィルム画像を撮影したときに比ＩＲ／ＩＧ，ＩＢ／ＩＧが検出される領域であるカラーネガモード検出枠と、モノクロネガフィルムのフィルム画像を撮影したときに比ＩＲ／ＩＧ，ＩＢ／ＩＧが検出される領域であるモノクロネガモード検出枠を設定してなるデータテーブルを記憶しており、比ＩＲ／ＩＧ，ＩＢ／ＩＧの値がポジモード検出枠内に入るときには前記ネガ・ポジ反転回路によるネガ・ポジ反転処理を行なわせず、比ＩＲ／ＩＧ，ＩＢ／ＩＧの値がカラーネガモード検出枠内やモノクロネガモード検出枠に入るときには前記ネガ・ポジ反転回路によるネガ・ポジ反転処理を行なわせることを特徴とする。
【００１０】
また本発明は、
撮像信号に対してネガ・ポジ反転処理をすることのできるネガ・ポジ反転回路と、
撮像信号を信号処理して得た赤信号Ｒ，緑信号Ｇ，青信号Ｂを積分して赤積分値ＩＲ，緑積分値ＩＧ，青積分値ＩＢを求める積算回路と、
緑積分値ＩＧに対する赤積分値ＩＲ及び青積分値ＩＢの比ＩＲ／ＩＧ，ＩＢ／ＩＧを求めると共に、比ＩＲ／ＩＧ，ＩＢ／ＩＧを基にホワイトバランス制御信号Ｒｃｏｎｔ，Ｂｃｏｎｔを求める制御部と、
ホワイトバランス制御信号Ｒｃｏｎｔ，Ｂｃｏｎｔに応じて赤信号Ｒ及び青信号Ｂのゲイン調整をしてホワイトバランス制御をするホワイトバランス制御回路とを有するビデオカメラ装置において、
前記制御部は、比ＩＲ／ＩＧと比ＩＢ／ＩＧを軸としたデータ座標に、カラーポジフィルムのフィルム画像を撮影したときやフィルム画像の撮影をしない通常の撮影をしたときに比ＩＲ／ＩＧ，ＩＢ／ＩＧが検出される領域であるポジモード検出枠と、カラーネガフィルムのフィルム画像を撮影したときに比ＩＲ／ＩＧ，ＩＢ／ＩＧが検出される領域であるカラーネガモード検出枠と、モノクロネガフィルムのフィルム画像を撮影したときに比ＩＲ／ＩＧ，ＩＢ／ＩＧが検出される領域であるモノクロネガモード検出枠を設定してなるデータテーブルを記憶しており、比ＩＲ／ＩＧ，ＩＢ／ＩＧの値がポジモード検出枠内に入るときには前記ネガ・ポジ反転回路によるネガ・ポジ反転処理を行なわせず、比ＩＲ／ＩＧ，ＩＢ／ＩＧの値がカラーネガモード検出枠内に入るときには前記ネガ・ポジ反転回路によるネガ・ポジ反転処理を行なわせ、比ＩＲ／ＩＧ，ＩＢ／ＩＧの値がモノクロネガモード検出枠内に入るときには前記ネガ・ポジ反転回路により撮像信号のうちの輝度信号に対してネガ・ポジ反転処理を行なわせると共に色信号を出力させないことを特徴とする。
【００１１】
本発明では、ホワイトバランス制御のために求めた比ＩＲ／ＩＧ，ＩＢ／ＩＧの値がどの領域に位置するかに応じて、撮影モードを判定し、ネガフィルムの撮影をしているときには自動的にネガ・ポジ反転処理を行う。
【００１２】
【発明の実施の形態】
以下に本発明の実施例を図面に基づき詳細に説明する。
【００１３】
図１は本発明を組み込んだビデオカメラの撮像系を示す回路図である。同図に示すようにレンズ１１により形成された光学像がＣＣＤ１２の受光面に結像され、ＣＣＤ１２からは撮像信号Ｓが出力される。撮像信号ＳはＡＧＣ回路１３によりゲイン調整され、Ａ／Ｄ変換器１４によりデジタル信号に変換されて信号処理回路１５に送られる。
【００１４】
信号処理回路１５の補間処理回路１６は、撮像信号Ｓを補間処理し、補間処理された撮像信号Ｓは、色分離回路１７により輝度信号Ｙと色合成信号Ｃｒ  ，Ｃｂ  に分離される。
【００１５】
第１のネガ・ポジ反転回路１８は、後述するように、カメラマイコン１９の指令を受けて、カラーネガフィルムやモノクロネガフィルムを撮影するときには輝度信号Ｙをネガ・ポジ反転処理をしてから、またカラーネガフィルムやモノクロネガフィルムを撮影しないときには反転処理することなく、輝度信号ＹをＤ／Ａ変換器２０に送る。Ｄ／Ａ変換器２０は、輝度信号Ｙをアナログ信号に変換してからビデオカメラの記録・再生系に送る。
【００１６】
第２のネガ・ポジ反転回路２１は、後述するように、カメラマイコン１９の指令を受けて、カラーネガフィルムやモノクロネガフィルムを撮影するときには輝度信号Ｙ及び色合成信号Ｃｒ  ，Ｃｂ  をネガ・ポジ反転処理をしてから、またカラーネガフィルムやモノクロネガフィルムを撮影しないときには反転処理することなく、輝度信号Ｙ及び色合成信号Ｃｒ  ，Ｃｂ  をＲＧＢマトリクス回路２２に送る。
【００１７】
ＲＧＢマトリクス回路２２は、輝度信号Ｙ及び色合成信号Ｃｒ  ，Ｃｂ  をマトリクス演算して赤信号Ｒ，緑信号Ｇ，青信号Ｂを形成して出力する。ホワイトバランス制御回路２３は、カメラマイコン１９から送られてくるホワイトバランス制御信号Ｒｃｏｎｔ，Ｂｃｏｎｔを基に赤信号Ｒ及び青信号Ｂのゲイン調整をすることによりホワイトバランス制御をする。
【００１８】
色差マトリクス回路２４は、ホワイトバランス制御がされた赤，緑，青の各色信号Ｒ，Ｇ，Ｂをマトリクス演算して２種類の色差信号Ｒ−Ｙ，Ｂ−Ｙを形成する。エンコード回路２５は色差信号Ｒ−Ｙ，Ｂ−Ｙをエンコードして色信号Ｃを出力する。この色信号ＣはＤ／Ａ変換器２０によりアナログ信号に変換され、ビデオカメラの記録・再生系に送られる。
【００１９】
積算回路２６は赤信号Ｒ，緑信号Ｇ，青信号Ｂを１フィールド毎に積分して赤積分値ＩＲ，緑積分値ＩＧ，青積分値ＩＢを求める。
【００２０】
カメラマイコン１９は、積分値ＩＧに対する積分値ＩＲの比ＩＲ／ＩＧと、積分値ＩＧに対する積分値ＩＢの比ＩＢ／ＩＧを求める。そして
（ＩＲ／ＩＧ）＝（ＩＢ／ＩＧ）＝１
となるようなホワイトバランス制御信号Ｒｃｏｎｔ，Ｂｃｏｎｔを演算する。更に、詳細は後述するが、カメラマイコン１９は、オートモード（後述）になっているときには、比ＩＲ／ＩＧ，ＩＢ／ＩＧの値から、ビデオカメラが次の（１）（２）（３）の撮影モードのうち、どの撮影モードになっているのかを判定する。
【００２１】
（１）カラーポジフィルムのフィルム画像を撮影しているか、またはフィルムアダプター２を取り外してフィルム画像の撮影をしていない通常の撮影をしているポジモード。
（２）カラーネガフィルムのフィルム画像を撮影しているカラーネガモード。
（３）モノクロネガフィルムのフィルム画像を撮影しているモノクロネガモード。
【００２２】
カメラマイコン１９には、オート／マニュアル切換スイッチ２７及び反転／非反転切換スイッチ２８が接続されている。オート／マニュアル切換スイッチ２７を「マニュアル」側に投入している場合には、カメラマイコン１９はマニュアルモードになる。そしてこのマニュアルモードのときに、反転／非反転切換スイッチ２８を「非反転」側に投入すると、カメラマイコン１９の指令によりネガ・ポジ反転回路１８，２１は反転処理を行なわず、反転／非反転切換スイッチ２８を「反転」側に投入すると、カメラマイコン１９の指令によりネガ・ポジ反転回路１８，２１は反転処理を行う。
【００２３】
一方、オート／マニュアル切換スイッチ２７を「オート」側に投入すると、カメラマイコン１９はオートモードになり、撮影モードが上述した３つの（１）〜（３）のモードのうちのどのモードになっているのかを自動判定すると共に、判定したモードに応じた動作指令を行う。
【００２４】
ここでカメラマイコン１９による撮影モード自動判定方法及び、判定に応じた動作について説明する。
【００２５】
カメラマイコン１９には、図２に示すようなデータテーブルがあらかじめ記憶されている。つまり縦軸を比ＩＢ／ＩＧとし横軸を比ＩＲ／ＩＧとしたデータ座標に、ポジモード検出枠Ａ１，カラーネガモード検出枠Ａ２及びモノクロネガモード検出枠Ａ３を設定したデータテーブルを記憶している。
【００２６】
ポジモード検出枠Ａ１は、カラーポジフィルムのフィルム画像を撮影したときや、フィルム画像の撮影をしていない通常の撮影をしているときに、比ＩＢ／ＩＧ及び比ＩＲ／ＩＧが検出される領域であり、実験によりあらかじめ求めて設定されている。
【００２７】
カラーネガモード検出枠Ａ２は、カラーネガフィルムのフィルム画像を撮影したときに、比ＩＢ／ＩＧ及び比ＩＲ／ＩＧが検出される領域であり、実験によりあらかじめ求めて設定されている。
【００２８】
モノクロネガモード検出枠Ａ３は、モノクロネガフィルムのフィルム画像を撮影したときに、比ＩＢ／ＩＧ及び比ＩＲ／ＩＧが検出される領域であり、実験によりあらかじめ求めて設定されている。
【００２９】
カメラマイコン１９は、オート／マニュアル切換スイッチ２７が「オート」側に投入されてオートモードになると、スイッチ２７の投入時点から数フィールド期間では、ネガ・ポジ反転回路１８，２１による反転処理を行なわせないよう指令する。
そして反転処理をしていない信号を処理して得た積分値ＩＲ，ＩＧ，ＩＢを取り込む。
次に比ＩＢ／ＩＧ，ＩＲ／ＩＧを計算する。そして計算した比ＩＢ／ＩＧ，ＩＲ／ＩＧの値を検出する。
更に比ＩＢ／ＩＧ，ＩＲ／ＩＧの値が、検出枠Ａ１，Ａ２，Ａ３のうちのどの領域内に入るのかを検査する。そして値が検出枠Ａ１内に入ったらポジモードであると判定し、値が検出枠Ａ２内に入ったらカラーネガモードであると判定し、値が検出枠Ａ３内に入ったらモノクロネガモードであると判定する。
【００３０】
カメラマイコン１９は、オートモード時において、撮影モードがポジモードであると判定したら、ネガ・ポジ反転回路１８，２１による反転処理を行なわせない状態をそのまま保持する。そして反転処理をしていない信号を積分・除算処理して得た比ＩＢ／ＩＧ，ＩＲ／ＩＧを用い、（ＩＢ／ＩＧ）＝（ＩＲ／ＩＧ）＝１となるようなホワイトバランス制御信号Ｒｃｏｎｔ，Ｂｃｏｎｔを出力する。このホワイトバランス制御信号Ｒｃｏｎｔ，Ｂｃｏｎｔを基にホワイトバランス制御回路２３にてホワイトバランス制御が行なわれる。
【００３１】
また、カメラマイコン１９は、オートモード時において撮影モードがカラーネガモードであると判定したら、ネガ・ポジ反転回路１８，２１による反転処理を行なわせるように指令する。そして反転処理をした信号を積分・除算処理して得た比ＩＢ／ＩＧ，ＩＲ／ＩＧを用い、（ＩＢ／ＩＧ）＝（ＩＲ／ＩＧ）＝１とするようなホワイトバランス制御信号Ｒｃｏｎｔ，Ｂｃｏｎｔを出力する。このホワイトバランス制御信号Ｒｃｏｎｔ，Ｂｃｏｎｔを基にホワイトバランス制御回路２３にてホワイトバランス制御が行なわれる。
【００３２】
更に、カメラマイコン１９は、オートモード時において、撮影モードがモノクロネガモードであると判定したら、ネガ・ポジ反転回路１８，２１による反転処理を行なわせるよう指令する。そして反転処理をした信号を積分・除算処理して得た比ＩＢ／ＩＧ，ＩＲ／ＩＧを用い、（ＩＢ／ＩＧ）＝（ＩＲ／ＩＧ）＝１とするようなホワイトバランス制御信号Ｒｃｏｎｔ，Ｂｃｏｎｔを出力する。このホワイトバランス制御信号Ｒｃｏｎｔ，Ｂｃｏｎｔを基にホワイトバランス制御回路２３にてホワイトバランス制御が行なわれる。
【００３３】
なおモノクロネガモードであると判定したときには、カメラマイコン１９の指令により、カラー信号処理系（回路２１，２２，２３，２４，２５）の動作を停止させて色信号Ｃを出力しないようにし、ネガ・ポジ反転回路１８により反転処理した輝度信号Ｙのみを出力するようにしてもよい。
【００３４】
モノクロネガフィルムには、紫色系のベース着色分の影響を受けて紫色系の色成分が多いので、カラー信号処理系を作動させた場合にホワイトバランス制御が不充分であると、再生画像の画質が悪くなるおそれがあるが、カラー信号処理系の動作を停止させたり、色信号のゲインを絞ったりして輝度信号のみを出力させれば、このような不具合のおそれがなくなる。
【００３５】
結局オート／マニュアル切換スイッチ２７を「オート」側に投入してオートモードにしておけば、ネガフィルムの撮影の際には自動的にネガ・ポジ反転が行なわれ、フィルムの種類に関係なく簡単にフィルム画像の撮影ができる。
【００３６】
なお上記実施例のビデオカメラ装置では、オートホワイトバランス制御をフィードバック制御により実行しているが、オートホワイトバランス制御をフィードフォワード制御するタイプのビデオカメラ装置にも本発明を適用することができることは勿論である。
【００３７】
【発明の効果】
以上実施例と共に具体的に説明したように本発明によれば、比ＩＲ／ＩＧ，ＩＢ／ＩＧの値を基にポジモードであるかネガモードであるかを判定し、ネガモードであるときには自動的にネガ・ポジ反転処理が行なわれるため、使用者がスイッチ操作によりネガ・ポジ反転処理指令を出す必要がなくなり、操作が簡単になる。したがってフィルムの種類（ネガフィルムであるかポジフィルムであるか）にかかわらず、使用者としてはフィルム画像の撮影をするためでフィルム画像を良好にビデオ撮影することができる。
【００３８】
またモノクロネガフィルムの撮影の際に色信号を出力しないようにすることにより、モノクロ画像の画質を向上させることができる。
【図面の簡単な説明】
【図１】本発明を適用したビデオカメラの撮像系を示す回路図。
【図２】検出枠の領域を示す特性図。
【図３】フィルム画像を撮影するために用いるアタッチメント及びビデオカメラを示す構成図。
【符号の説明】
１  ビデオカメラ
２  アタッチメント
３  フィルムキャリア
４  フィルム
１１  レンズ
１２  ＣＣＤ
１３  ＡＧＣ回路
１４  Ａ／Ｄ変換器
１５  信号処理回路
１６  補間処理回路
１７  色分離回路
１８  ネガ・ポジ反転回路
１９  カメラマイコン
２０  Ｄ／Ａ変換器
２１  ネガ・ポジ反転回路
２２  ＲＧＢマトリクス回路
２３  ホワイトバランス制御回路
２４  色差マトリクス回路
２５  エンコード回路
２６  積算回路
２７  オート／マニュアル切換スイッチ
２８  反転／非反転切換スイッチ
Ｒｃｏｎｔ  ホワイトバランス制御信号
Ｂｃｏｎｔ  ホワイトバランス制御信号
Ａ１  ポジモード検出枠
Ａ２  カラーネガモード検出枠
Ａ３  モノクロネガモード検出枠
【図１】
0003556742.tif 000002
【図２】
0003556742.tif 000003
【図３】
0003556742.tif 000004